(57)【要約】【課題】  ＵＥ主導でハンドオーバ実行の判定を行う場合に、無線基地局において送受信時にデータの欠落や冗長を減少させ、円滑なハンドオーバを実現可能な無線ネットワークシステムを提供する。【解決手段】  ＵＥ１−０は各ノードＢの下り品質をモニタし、ハンドオーバ要求の送出を決定する。ハンドオーバ元ノードＢ２−０はＵＥ１−０からのハンドオーバ要求を受信し、ノードＢ間のｃ−ｐｌａｎｅパスを介してハンドオーバ先ノードＢ２−１に対してハンドオーバ要求とハンドオーバに必要なＵＥ１−０の情報とを送る。ハンドオーバ先ノードＢ２−１はハンドオーバ要求に基づいて、ハンドオーバに必要なリソースを確保する。ハンドオーバ元ノードＢ２−０とハンドオーバ先ノードＢ２−１とは相互の間にｕ−ｐｌａｎｅパスを張り、ユーザデータの転送を行う。【選択図】      図１
2008005074.tif 000002
【特許請求の範囲】
【請求項１】
移動局が主導となり、ハンドオーバ元の無線基地局からハンドオーバ先の無線基地局への切替えを行うハンドオーバ実行の可否を判断する無線ネットワークシステムであって、
前記ハンドオーバ先の無線基地局が、前記移動局からのハンドオーバ要求と前記ハンドオーバに必要な前記移動局の情報とを基に前記ハンドオーバに必要なリソースを確保し、前記ハンドオーバ元ノードＢとの間にユーザ情報を転送するユーザプレーンパスを張ることを特徴とする無線ネットワークシステム。
【請求項２】
前記移動局は、前記ハンドオーバ要求を前記ハンドオーバ元の無線基地局に送信し、
前記ハンドオーバ元の無線基地局は、前記ハンドオーバ要求の受信時にそのハンドオーバ要求とハンドオーバに必要な前記移動局の情報とを前記ハンドオーバ先の無線基地局に転送することを特徴とする請求項１記載の無線ネットワークシステム。
【請求項３】
前記移動局は、前記ハンドオーバ要求を前記ハンドオーバ先の無線基地局に送信し、
前記ハンドオーバ先の無線基地局は、前記ハンドオーバ要求の受信時にハンドオーバに必要な前記移動局の情報を前記ハンドオーバ元の無線基地局に要求して取得することを特徴とする請求項１記載の無線ネットワークシステム。
【請求項４】
前記移動局は、前記無線基地局におけるリソース制御を専用で処理するＲＲＭ（Ｒａｄｉｏ  Ｒｅｓｏｕｒｃｅ  Ｍａｎａｇｅｍｅｎｔ）サーバに前記ハンドオーバ要求を送信し、
前記ＲＲＭサーバは、前記ハンドオーバ要求の受信時にハンドオーバに必要な前記移動局の情報を前記ハンドオーバ元の無線基地局に要求して取得し、その取得した移動局の情報を前記ハンドオーバ要求とともに前記ハンドオーバ先の無線基地局に転送することを特徴とする請求項１記載の無線ネットワークシステム。
【請求項５】
前記ハンドオーバ要求と前記移動局の情報との転送完了後、前記ハンドオーバ元の無線基地局が発する切替え指示に基づいて前記移動局の通信先を前記ハンドオーバ先の無線基地局に切替えるとともに、少なくともＩＰ（Ｉｎｔｅｒｎｅｔ  Ｐｒｏｔｏｃｏｌ）網及び一般公衆網と配下の無線基地局とを接続するゲートウェイとのユーザプレーンパスを前記ハンドオーバ先の無線基地局に切替えることを特徴とする請求項１から請求項４のいずれか記載の無線ネットワークシステム。
【請求項６】
前記移動局は、前記無線基地局の下り品質をモニタし、そのモニタ結果に基づいて前記ハンドオーバ要求の送出を決定することを特徴とする請求項１から請求項５のいずれか記載の無線ネットワークシステム。
【請求項７】
請求項１から請求項５のいずれかに記載の無線基地局。
【請求項８】
移動局が主導となり、ハンドオーバ元の無線基地局からハンドオーバ先の無線基地局への切替えを行うハンドオーバ実行の可否を判断する無線ネットワークシステムに用いるハンドオーバ制御方法であって、
前記ハンドオーバ先の無線基地局が、前記移動局からのハンドオーバ要求と前記ハンドオーバに必要な前記移動局の情報とを基に前記ハンドオーバに必要なリソースを確保し、前記ハンドオーバ元ノードＢとの間にユーザ情報を転送するユーザプレーンパスを張ることを特徴とするハンドオーバ制御方法。
【請求項９】
前記移動局が、前記ハンドオーバ要求を前記ハンドオーバ元の無線基地局に送信し、
前記ハンドオーバ元の無線基地局が、前記ハンドオーバ要求の受信時にそのハンドオーバ要求とハンドオーバに必要な前記移動局の情報とを前記ハンドオーバ先の無線基地局に転送することを特徴とする請求項８記載のハンドオーバ制御方法。
【請求項１０】
前記移動局が、前記ハンドオーバ要求を前記ハンドオーバ先の無線基地局に送信し、
前記ハンドオーバ先の無線基地局が、前記ハンドオーバ要求の受信時にハンドオーバに必要な前記移動局の情報を前記ハンドオーバ元の無線基地局に要求して取得することを特徴とする請求項８記載のハンドオーバ制御方法。
【請求項１１】
前記移動局が、前記無線基地局におけるリソース制御を専用で処理するＲＲＭ（Ｒａｄｉｏ  Ｒｅｓｏｕｒｃｅ  Ｍａｎａｇｅｍｅｎｔ）サーバに前記ハンドオーバ要求を送信し、
前記ＲＲＭサーバが、前記ハンドオーバ要求の受信時にハンドオーバに必要な前記移動局の情報を前記ハンドオーバ元の無線基地局に要求して取得し、その取得した移動局の情報を前記ハンドオーバ要求とともに前記ハンドオーバ先の無線基地局に転送することを特徴とする請求項８記載のハンドオーバ制御方法。
【請求項１２】
前記ハンドオーバ要求と前記移動局の情報との転送完了後、前記ハンドオーバ元の無線基地局が発する切替え指示に基づいて前記移動局の通信先を前記ハンドオーバ先の無線基地局に切替えるとともに、少なくともＩＰ（Ｉｎｔｅｒｎｅｔ  Ｐｒｏｔｏｃｏｌ）網及び一般公衆網と配下の無線基地局とを接続するゲートウェイとのユーザプレーンパスを前記ハンドオーバ先の無線基地局に切替えることを特徴とする請求項８から請求項１１のいずれか記載のハンドオーバ制御方法。
【請求項１３】
前記移動局が、前記無線基地局の下り品質をモニタし、そのモニタ結果に基づいて前記ハンドオーバ要求の送出を決定することを特徴とする請求項８から請求項１２のいずれか記載のハンドオーバ制御方法。
【発明の詳細な説明】
【技術分野】
【０００１】
本発明は移動通信システム、無線基地局及びそれらに用いるハンドオーバ制御方法に関し、特に無線ネットワークシステムにおけるハンドオーバ（ＨａｎｄＯｖｅｒ）の制御に関する。
【背景技術】
【０００２】
現在の無線ネットワークシステムでは、図９に示すように、ＲＮＣ（Ｒａｄｉｏ  Ｎｅｔｗｏｒｋ  Ｃｏｎｔｒｏｌｌｅｒ）７が複数のノードＢ（Ｎｏｄｅ−Ｂ：無線基地局）６−０，６−１を管理し、ノードＢ６−０，６−１間のハンドオーバを制御している。
【０００３】
しかしながら、ＲＮＣ７の処理は複雑化の傾向にあり、無線ネットワークシステム全体の複雑化の一要因となっている。このため、これまでＲＮＣ７が担っていた処理をノードＢ６−０，６−１と上位のゲートウェイ（ＧａｔｅＷａｙ）（図示せず）とに分散配置することで、ＲＮＣ７を排する構成（例えば、非特許文献１参照）、及びその分散配置とともに、ＲＲＣ（Ｒａｄｉｏ  Ｒｅｓｏｕｒｃｅ  Ｃｏｎｔｒｏｌ）機能に特化したＲＲＭ（Ｒａｄｉｏ  Ｒｅｓｏｕｒｃｅ  Ｍａｎａｇｅｍｅｎｔ）サーバをノードＢ６−０，６−１間のｃ−ｐｌａｎｅ（制御信号を転送するシグナリングのための制御プレーン）処理に用いることでＲＮＣ７を排する構成が検討されている。
【０００４】
ＲＮＣ７が存在しない無線ネットワークのシステム構成において、複数のハンドオーバ方式が考えられるが、特にネットワークのシステム構成を簡略化するための方式として、ＵＥ（Ｕｓｅｒ  Ｅｑｕｉｐｍｅｎｔ：移動局）５−０が主導となり、ハンドオーバ実行の可否を判断するようなシステムが考えられる。ットワーク及びノードＢ６−０，６−１の処理を分散させることを目的として、ＵＥ５−０主導でハンドオーバ実行の判定を行う方法も提案されている。
【０００５】
【特許文献１】特願２００５−３６９５１６
【非特許文献１】Ｔｄｏｃ  Ｒ３−０６００１２
【発明の開示】
【発明が解決しようとする課題】
【０００６】
しかしながら、上述した従来の無線ネットワークシステムでは、ハンドオーバに伴う送受信データの欠落を防ぐために、ＲＮＣを介してハンドオーバ元からハンドオーバ先にデータを転送する動作を行っているため、ＲＮＣを欠く方法において、ハンドオーバの際に送受信データの欠落が生じ、音声品質の低下や、パケット再送の増加を招くという課題がある。
【０００７】
そこで、本発明の目的は上記の問題点を解消し、ＵＥ主導でハンドオーバ実行の判定を行う場合に、無線基地局において送受信時にデータの欠落や冗長を減少させ、円滑なハンドオーバを実現することができる無線ネットワークシステム、無線基地局及びそれらに用いるハンドオーバ制御方法を提供することにある。
【課題を解決するための手段】
【０００８】
本発明による無線ネットワークシステムは、移動局が主導となり、ハンドオーバ元の無線基地局からハンドオーバ先の無線基地局への切替えを行うハンドオーバ実行の可否を判断する無線ネットワークシステムであって、
前記ハンドオーバ先の無線基地局が、前記移動局からのハンドオーバ要求と前記ハンドオーバに必要な前記移動局の情報とを基に前記ハンドオーバに必要なリソースを確保し、前記ハンドオーバ元ノードＢとの間にユーザ情報を転送するユーザプレーンパスを張っている。
【０００９】
本発明による無線基地局は、上記の無線ネットワークシステムに記載の処理動作を行うことを特徴とする。
【００１０】
本発明によるハンドオーバ制御方法は、移動局が主導となり、ハンドオーバ元の無線基地局からハンドオーバ先の無線基地局への切替えを行うハンドオーバ実行の可否を判断する無線ネットワークシステムに用いるハンドオーバ制御方法であって、
前記ハンドオーバ先の無線基地局が、前記移動局からのハンドオーバ要求と前記ハンドオーバに必要な前記移動局の情報とを基に前記ハンドオーバに必要なリソースを確保し、前記ハンドオーバ元ノードＢとの間にユーザ情報を転送するユーザプレーンパスを張っている。
【００１１】
すなわち、本発明の無線ネットワークシステムは、システム内からＲＮＣ（Ｒａｄｉｏ  Ｎｅｔｗｏｒｋ  Ｃｏｎｔｒｏｌｌｅｒ）を排除し、呼制御に使用するノードが簡略化されたシステムにおけるハンドオーバ（ＨａｎｄＯｖｅｒ）実行時において、特にＵＥ（Ｕｓｅｒ  Ｅｑｕｉｐｍｅｎｔ：移動局）が主導となってハンドオーバ制御を行い、ハンドオーバを実現している。
【００１２】
本発明の無線ネットワークシステムでは、ＵＥが主導となり、ハンドオーバ実行の可否を判断するシステムにおいて、ネットワーク及びノードＢ（Ｎｏｄｅ−Ｂ：無線基地局）の処理を分散させることが可能となる。ＵＥ主導によるハンドオーバ実行判定の方法については、以下のようにして行われる。
【００１３】
ＵＥはハンドオーバ元ノードＢ及びハンドオーバ先ノードＢからの基準信号をモニタリングし、受信ＳＩＲ（Ｓｉｇｎａｌ  ｔｏ  Ｉｎｔｅｒｆｅｒｅｎｃｅ  ｐｏｗｅｒ  Ｒａｔｉｏ）の測定を行い、“ハンドオーバ元の受信ＳＩＲ”＜“ハンドオーバ先の受信ＳＩＲ”となるまでモニタリング動作を継続し、“ハンドオーバ元の受信ＳＩＲ”＜“ハンドオーバ先の受信ＳＩＲ”となった場合、ハンドオーバ先ノードＢからスケジューリングを行う周期で報知されるリソース情報の監視を開始する。
【００１４】
リソース情報はハンドオーバ先ノードＢで行われたスケジューリング結果を基に生成され、指定（スケジューリング）タイミング毎に、ハンドオーバ先ノードＢにおいてハンドオーバ呼の受付けが可能か否かを報知するものである。ハンドオーバ先ノードＢは、現在のリソースの利用状況に基づいてハンドオーバ呼を受付けることが可能か否かを判定し、この判定結果をリソース情報としてＵＥに対して報知している。すなわち、リソース情報の最も単純な例としては１ビットの情報であり、例えば、リソース情報が“１”の場合にはノードＢがハンドオーバ呼の受付けが可能であることを示しており、リソース情報が“０”の場合には、ノードＢがハンドオーバ呼の受付けが不可能であることを示す。
【００１５】
ここで、リソース情報は、ノードＢとＵＥとの間の無線周波数リソースの状態、ノードＢにおける物理的なチャネルリソースの状態、ノードＢにおける瞬時的な下り総送信電力及びこれらの組み合わせたものに基づいて生成される。これらの情報は全て各セルのノードＢが把握することが可能であるので、ノードＢは、自セル内のＵＥ及び隣接セルのノードＢに対して生成したリソース情報を通知する。尚、ＵＥは、リソース情報が“ハンドオーバ可能”を示すようになるまでリソース情報の監視を継続し、リソース情報が“ハンドオーバ可能”を示す前に“ハンドオーバ元の受信ＳＩＲ”＜“ハンドオーバ先の受信ＳＩＲ”となった場合に、その時点でリソース情報の監視を停止する。
【００１６】
リソース情報の状態がハンドオーバ可能となった時点で、ＵＥは、ハンドオーバ先ノードＢに対してハンドオーバ要求を通知する。ハンドオーバ要求の通知手段は共通のチャネルやシグナリング（Ｓｉｇｎａｌｉｎｇ）等を用いて無線回線を介して直接ハンドオーバ先ノードＢへ通知する方法と、ハンドオーバ元ノードＢを経由してハンドオーバ先ノードＢへ通知する方法等が考えられる。
本発明の無線ネットワークシステムでは、上記のように、ＵＥが主導してハンドオーバの判定を行うシステムにおいて、さらにノードＢ間でｕ−ｐｌａｎｅ（ユーザ情報を転送するユーザプレーン）パスを張り替える手順を設けることによって、ＲＮＣを介さずにｕ−ｐｌａｎｅデータを円滑にハンドオーバすることが可能となる。
【００１７】
より具体的に説明すると、本発明の無線ネットワークシステムでは、ＵＥと、ハンドオーバ元ノードＢ、ハンドオーバ先ノードＢ、ゲートウェイ（Ｇａｔｅｗａｙ）とから構成され、ＲＲＣ（Ｒａｄｉｏ  Ｒｅｓｏｕｒｃｅ  Ｃｏｎｔｒｏｌ）機能をノードＢに置いている。
【００１８】
ＵＥは各ノードＢの下り品質をモニタし、ハンドオーバ要求の送出を決定する。ハンドオーバ元ノードＢは、ＵＥが送出したハンドオーバ要求を受信し、ノードＢ間のｃ−ｐｌａｎｅ（制御信号を転送するシグナリングのための制御プレーン）パスを介してハンドオーバ先ノードＢに対してハンドオーバ要求とハンドオーバに必要なＵＥの情報とを送る。
【００１９】
ハンドオーバ先ノードＢは、ハンドオーバ要求に基づいて、ハンドオーバに必要なリソースを確保する。また、ハンドオーバ元ノードＢとハンドオーバ先ノードＢとは、相互の間にｕ−ｐｌａｎｅパスを張り、ハンドオーバ元ノードＢからハンドオーバ先ノードＢに向けてユーザデータの転送を行う。ゲートウェイは、ＩＰ（Ｉｎｔｅｒｎｅｔ  Ｐｒｏｔｏｃｏｌ）網や一般公衆網と配下のノードＢとを接続する。
【００２０】
本発明の無線ネットワークシステムでは、上述したハンドオーバ要求とＵＥの情報との転送完了後、ハンドオーバ元ノードＢが発するノードＢ切替え指示［ＲＢ（Ｒａｄｉｏ  ｌｉｎｋ  Ｂｅａｒｅｒ）  Ｒｅｃｏｎｆｉｇｕｒａｔｉｏｎ］に基づいてＵＥが通信するノードＢを切替えるとともに、ゲートウェイとのｕ−ｐｌａｎｅパスもハンドオーバ先ノードＢに切替える。
【００２１】
これによって、本発明の無線ネットワークシステムでは、ＵＥ主導でハンドオーバ実行の判定を行う場合に、無線基地局において送受信時にデータの欠落や冗長を減少させ、円滑なハンドオーバを実現することが可能となる。
【発明の効果】
【００２２】
本発明は、上記のような構成及び動作とすることで、ＵＥ主導でハンドオーバ実行の判定を行う場合に、無線基地局において送受信時にデータの欠落や冗長を減少させ、円滑なハンドオーバを実現することができるという効果が得られる。
【発明を実施するための最良の形態】
【００２３】
次に、本発明の実施例について図面を参照して説明する。
【実施例１】
【００２４】
図１は本発明の第１の実施例による無線ネットワークシステムの構成を示すブロック図である。図１において、本発明の第１の実施例による無線ネットワークシステムは、ＵＥ（Ｕｓｅｒ  Ｅｑｕｉｐｍｅｎｔ：移動局）１−０，１−１と、ハンドオーバ（ＨａｎｄＯｖｅｒ）元ノードＢ（Ｎｏｄｅ−Ｂ：無線基地局）２−０と、ハンドオーバ先ノードＢ２−１と、ゲートウェイ（Ｇａｔｅｗａｙ）３とから構成され、ＲＲＣ（Ｒａｄｉｏ  Ｒｅｓｏｕｒｃｅ  Ｃｏｎｔｒｏｌ）機能をノードＢ２−０，２−１に置いており、ハンドオーバ元ノードＢ２−０はハンドオーバ元セル１００を管理し、ハンドオーバ先ノードＢ２−１はハンドオーバ先セル１０１を管理している。
【００２５】
ＵＥ１−０はハンドオーバ元ノードＢ２−０から受信する信号の品質等を基にハンドオーバ動作への移行を判断し、ハンドオーバ要求をハンドオーバ元ノードＢ２−０に送信する機能を有している。この機能については後述する。
【００２６】
ハンドオーバ元ノードＢ２−０は、ＵＥ１−０からのハンドオーバ要求に基づき、ハンドオーバ先ノードＢ２−１に対してノードＢ２−０，２−１間のｃ−ｐｌａｎｅ（制御信号を転送するシグナリングのための制御プレーン）パスを介してハンドオーバ要求を送信する機能を有している。
【００２７】
また、ハンドオーバ元ノードＢ２−０は、ハンドオーバに必要な情報、特にＵＥ１−０との送受信データの中で、ハンドオーバ先ノードＢ２−１に転送する必要のあるデータを判断し、ノードＢ２−０，２−１間のｕ−ｐｌａｎｅ（ユーザ情報を転送するユーザプレーン）パスを利用してハンドオーバ先ノードＢ２−１に転送する機能を有している。
【００２８】
これらハンドオーバ要求やハンドオーバ先ノードＢ２−１に転送する必要のあるデータの転送完了後、ハンドオーバ元ノードＢ２−０は、ＵＥ１−０に対して発するノードＢ切替え指示［ＲＢ（Ｒａｄｉｏ  Ｂｅａｒｅｒ）  Ｒｅｃｏｎｆｉｇｕｒａｔｉｏｎ］に基づいてハンドオーバを実行する。
【００２９】
ＵＥ１−０とハンドオーバ先ノードＢ２−１との間で通信が始まり、ハンドオーバ元ノードＢ２−０とゲートウェイ３との間で成立していたｕ−ｐｌａｎｅパスもハンドオーバ先ノードＢ２−１側に切替える。このノードＢ２−０，２−１間のデータパスは、特に専用の回線を直接結ぶ必要はなく、ＩＰ（Ｉｎｔｅｒｎｅｔ  Ｐｒｏｔｏｃｏｌ）網等も利用することができる。
【００３０】
ゲートウェイ３は、ノードＢ２−０，２−１とＩＰ網もしくは公衆網とを接続するゲートウェイ局である。ゲートウェイ局の内部構成は、本発明の要件ではないため、それらの説明については省略する。
【００３１】
次に、ＵＥが主導してハンドオーバの判定を行う動作について説明する。ＵＥ１−０はハンドオーバ元ノードＢ２−０及びハンドオーバ先ノードＢ２−１からの基準信号をモニタリングし、受信ＳＩＲ（Ｓｉｇｎａｌ  ｔｏ  Ｉｎｔｅｒｆｅｒｅｎｃｅ  ｐｏｗｅｒ  Ｒａｔｉｏ）の測定を行い、“ハンドオーバ元の受信ＳＩＲ”＜“ハンドオーバ先の受信ＳＩＲ”となるまでモニタリング動作を継続し、“ハンドオーバ元の受信ＳＩＲ”＜“ハンドオーバ先の受信ＳＩＲ”となった場合、ハンドオーバ先ノードＢ２−１からスケジューリングを行う周期で報知されるリソース情報の監視を開始する。
【００３２】
リソース情報はハンドオーバ先ノードＢ２−１で行われたスケジューリング結果を基に生成され、指定（スケジューリング）タイミング毎に、ハンドオーバ先ノードＢ２−１においてハンドオーバ呼の受付けが可能か否かを報知するものである。ハンドオーバ先ノードＢ２−１は、現在のリソースの利用状況に基づいてハンドオーバ呼を受付けることが可能か否かを判定し、この判定結果をリソース情報としてＵＥ１−０に対して報知している。すなわち、リソース情報の最も単純な例としては１ビットの情報であり、例えば、リソース情報が“１”の場合にはノードＢがハンドオーバ呼の受付けが可能であることを示しており、リソース情報が“０”の場合には、ノードＢがハンドオーバ呼の受付けが不可能であることを示す。
【００３３】
ここで、リソース情報は、ノードＢとＵＥとの間の無線周波数リソースの状態、ノードＢにおける物理的なチャネルリソースの状態、ノードＢにおける瞬時的な下り総送信電力及びこれらの組み合わせたものに基づいて生成される。これらの情報は全て各セルのノードＢが把握することが可能であるので、ノードＢは、自セル内のＵＥ及び隣接セルのノードＢに対して生成したリソース情報を通知する。尚、ＵＥ１−０は、リソース情報が“ハンドオーバ可能”を示すようになるまでリソース情報の監視を継続し、リソース情報が“ハンドオーバ可能”を示す前に“ハンドオーバ元の受信ＳＩＲ”＜“ハンドオーバ先の受信ＳＩＲ”となった場合に、その時点でリソース情報の監視を停止する。
【００３４】
リソース情報の状態がハンドオーバ可能となった時点で、ＵＥ１−０は、ハンドオーバ先ノードＢ２−１に対してハンドオーバ要求を通知する。ハンドオーバ要求の通知手段は共通のチャネルやシグナリング（Ｓｉｇｎａｌｉｎｇ）等を用いて無線回線を介して直接ハンドオーバ先ノードＢへ通知する方法、ハンドオーバ元ノードＢを経由してハンドオーバ先ノードＢへ通知する方法等が考えられる。
【００３５】
上記のように、ＵＥ１−０は、現在無線回線を接続中のハンドオーバ元ノードＢ２−０からの下り基準信号の受信ＳＩＲと、ハンドオーバを行おうとしているハンドオーバ先ノードＢ２−１からの下り基準信号の受信ＳＩＲとを比較する。そして、ハンドオーバ元ノードＢ２−０からの下り基準信号の受信ＳＩＲよりもハンドオーバ先ノードＢ２−１の下り基準信号の受信ＳＩＲのほうが大きい場合、ＵＥ１−０は、ハンドオーバ先ノードＢ２−１から報知されたリソース情報を監視し、そのリソース情報がハンドオーバ可能であることを示すことが確認された場合、ハンドオーバ先ノードＢ２−１へのハンドオーバ要求を行う。
【００３６】
上記のような処理が行うことによって、ハンドオーバ先ノードＢ２−１では、ハンドオーバ呼の制限が行われる。しかしながら、ハンドオーバ呼よりも新規呼のほうが優先度が高く設定されている場合、通常の新規呼の発呼を行うＵＥ１−１はリソース情報の監視を行わずに発呼要求２０２を行う。また、ハンドオーバ先ノードＢ２−１では、ＵＥ１−０からのハンドオーバ要求を受信した場合、受信したハンドオーバ要求を受け入れるか否かを判定し、その判定結果をハンドオーバ応答としてＵＥ１−０に送信する。ＵＥ１−０は、受信したハンドオーバ応答がハンドオーバを許可する旨を示している場合にのみ、ハンドオーバ先ノードＢ２−１へのハンドオーバ処理を行う。
【００３７】
図２は本発明の第１の実施例による無線ネットワークシステムの動作を示すシーケンスチャートである。これら図１及び図２を参照して本発明の第１の実施例による無線ネットワークシステムの動作について説明する。以下、ＵＥ１−０がハンドオーバ要求を挙げるノードＢがハンドオーバ元ノードＢ２−０である場合について説明する。
【００３８】
ＵＥ１−０はハンドオーバ元ノードＢ２−０及びハンドオーバ先ノードＢ２−１の信号を受信し、それらの受信ＳＩＲを比較してハンドオーバ動作への移行判定を行う（図２のａ０，ａ１）。ＵＥ１−０におけるハンドオーバ判定動作については、上記の通りである。
【００３９】
ＵＥ１−０はハンドオーバ先ノードＢ２−１にハンドオーバすると判定した場合、ハンドオーバ元ノードＢ２−０に対して、ハンドオーバ先ノードＢ２−１を指定した上でハンドオーバ要求を送出する（図２のａ２）。ＵＥ１−０からハンドオーバ要求を受けたハンドオーバ元ノードＢ２−０は、ＵＥ１−０が指定したハンドオーバ先ノードＢ２−１に対してハンドオーバ要求を送信する（図２のａ３）。その際、ハンドオーバ元ノードＢ２−０は、ハンドオーバ先ノードＢ２−１にてＵＥ１−０との通信に必要となるリソースを確保するために、ＵＥ１−０が使用しているベアラ情報、所要品質（ＱｏＳ：Ｑｕａｌｉｔｙ  ｏｆ  Ｓｅｒｖｉｃｅ）情報、所要メモリ情報等のＵＥ情報を同時に転送する。
【００４０】
ハンドオーバ先ノードＢ２−１は、上記のハンドオーバ元ノードＢ２−０からの信号を受けると、その情報を基にノードＢ内のリソース割り当てと、リソースの確保を実行する（図２のａ４）。ハンドオーバ先ノードＢ２−１は、所要リソースの確保が完了し、ハンドオーバの準備が完了したら、ハンドオーバ元ノードＢ２−０に対してＵＥ情報転送への応答を行う（図２のａ５）。
【００４１】
ハンドオーバ元ノードＢ２−１は、ＵＥ情報転送応答を受けると、ハンドオーバ先ノードＢ２−１との間にｕ−ｐｌａｎｅパスを張り、ハンドオーバ先ノードＢ２−１に対してユーザデータパケットの転送を開始する（図２のａ６，ａ７）。ここで、無瞬断のハンドオーバ実現のために転送が有効となるパケットは、
（１）ハンドオーバ元ノードＢ２−０がＵＥ１−０に対して送信したが、ＵＥ１−０からＡｃｋ（Ａｃｋｎｏｗｌｅｄｇｅｍｅｎｔ）を受信していないパケット
（２）ハンドオーバ元ノードＢ２−０が上位のゲートウェイ３から受取っているが、まだＵＥ１−０に対して送信していないパケット
（３）ハンドオーバ元ノードＢ２−０がＵＥ１−０から受信しているが、まだＵＥ１−０に対してＡｃｋを送信していないパケット
の３種である。
【００４２】
ハンドオーバ元ノードＢ２−０にて（１）〜（３）のパケット転送を終えると、ハンドオーバ元ノードＢ２−０はＵＥ１−０に対してハンドオーバ先ノードＢ２−１への移行指示と、移行に必要なハンドオーバ先ノードＢ情報をノードＢ切替え指示［Ｒａｄｉｏ  ｌｉｎｋ  Ｂｅａｒｅｒ（ＲＢ）  Ｒｅｃｏｎｆｉｇｕｒａｔｉｏｎ］信号として送信する（図２のａ８）。
【００４３】
ＵＥ１−０は、上記のハンドオーバ元ノードＢ２−０の信号を受け、ハンドオーバ先ノードＢ２−１との通信を開始し、上り下り回線の同期を確立する（図２のａ９）。ハンドオーバ先ノードＢ２−１は、上り同期が確立した段階で、ゲートウェイ３に対して、ｕ−ｐｌａｎｅパスをハンドオーバ元ノードＢ２−０から切替えためにＰａｔｈ  Ｓｗｉｔｃｈ  Ｒｅｑｕｅｓｔ信号を出す（図２のａ１０）。
【００４４】
ゲートウェイ３は、Ｐａｔｈ  Ｓｗｉｔｃｈ  Ｒｅｑｕｅｓｔ信号を受けると、ｕ−ｐｌａｎｅパスをハンドオーバ先ノードＢ２−１に切替えるとともに、ハンドオーバ先ノードＢ２−１に対してＰａｔｈ  Ｓｗｉｔｃｈ  Ｃｏｎｆｉｒｍ信号を返す（図２のａ１１）。
【００４５】
ＵＥ１−０は、下り同期が確立した段階で、ハンドオーバ先ノードＢ２−１に対してハンドオーバの完了をＲＢ  Ｒｅｃｏｎｆｉｇｕｒａｔｉｏｎ  Ｃｏｍｐｌｅｔｅ信号としてハンドオーバ先ノードＢ２−１に通知する（図２のａ１２）。ハンドオーバ先ノードＢ２−１は、これらＰａｔｈ  Ｓｗｉｔｃｈ  Ｃｏｎｆｉｒｍ信号と、ＲＢ  Ｒｅｃｏｎｆｉｇｕｒａｔｉｏｎ  Ｃｏｍｐｌｅｔｅ信号との受信をもって、Ｐａｔｈ  Ｒｅｌｅａｓｅ信号をハンドオーバ元ノードＢ２−０に送信する（図２のａ１３）。
【００４６】
ハンドオーバ元ノードＢ２−０では、このＰａｔｈ  Ｒｅｌｅａｓｅ信号を受けて、上りＵｕ回線のリソースと、ゲートウェイ３へのｕ−ｐｌａｎｅパスとを解放し、ハンドオーバ先ノードＢ２−１に対してリソースとｕ−ｐｌａｎｅパスとの解放をＰａｔｈ  Ｒｅｌｅａｓｅ  Ａｃｋ信号として返す（図２のａ１４）。これによって、本実施例では、一連のハンドオーバシーケンスが完了する。
【００４７】
このように、本実施例では、ＵＥ１−０主導でハンドオーバ実行の判定を行う場合に、ノードＢにおいて送受信時にデータの欠落や冗長を減少させ、円滑なハンドオーバを実現することができる。
【実施例２】
【００４８】
図３は本発明の第２の実施例による無線ネットワークシステムの構成を示すブロック図である。図１において、本発明の第１の実施例による無線ネットワークシステムは、上記の本発明の第１の実施例における各ノードＢのＲＲＣ機能を専用で処理するＲＲＭ（Ｒａｄｉｏ  Ｒｅｓｏｕｒｃｅ  Ｍａｎａｇｅｍｅｎｔ）サーバ４を設けた以外は図１に示す本発明の第１の実施例と同様の構成となっている。
【００４９】
ＲＲＭサーバ４は各ノードＢ（ハンドオーバ元ノードＢ２−０及びハンドオーバ先ノードＢ２−１）のリソース割り当て制御及び管理、ゲートウェイ３と各ノードＢとの間のｕ−ｐｌａｎｅパスの切替え制御を実行する。
【００５０】
図４は本発明の第２の実施例による無線ネットワークシステムの動作を示すシーケンスチャートである。これら図３及び図４を参照して本発明の第２の実施例による無線ネットワークシステムの動作について説明する。以下、ＵＥ１−０がハンドオーバ要求を挙げるノードＢがハンドオーバ元ノードＢ２−０である場合について説明する。
【００５１】
ＵＥ１−０はハンドオーバ元ノードＢ２−０及びハンドオーバ先ノードＢ２−１の信号を受信し、それらの受信ＳＩＲを比較してハンドオーバ動作への移行判定を行う（図４のｂ０，ｂ１）。ＵＥ１−０におけるハンドオーバ判定動作については、上記の通りである。
【００５２】
ＵＥ１−０はハンドオーバ先ノードＢ２−１にハンドオーバすると判定した場合、ハンドオーバ元ノードＢ２−０に対して、ハンドオーバ先ノードＢ２−１を指定した上でハンドオーバ要求を送出する（図４のｂ２）。ＵＥ１−０からハンドオーバ要求を受けたハンドオーバ元ノードＢ２−０は、ＵＥ１−０からのハンドオーバ要求をＲＲＭサーバ４に送信する（図４のｂ３）。その際、ハンドオーバ元ノードＢ２−０はＲＲＭサーバ４に対して、ハンドオーバ先ノードＢ２−１にてＵＥ１−０との通信に必要となるリソースを確保するために、ＵＥ１−０が使用しているベアラ情報、所要品質（ＱｏＳ）情報、所要メモリ情報等のＵＥ情報を同時に転送する。
【００５３】
ＲＲＭサーバ４は上記のハンドオーバ元ノードＢ２−０からの信号を受けると、その情報を基にハンドオーバ先ノードＢ２−１内のリソース割り当てと、リソースの確保とを実行させるために、リソース制御情報をハンドオーバ先ノードＢ２−１に送信する（図４のｂ４，ｂ５）。ハンドオーバ先ノードＢ２−１は、ＲＲＭサーバ４からリソース制御情報を受けると、そのリソース制御情報を基にノードＢ内のリソース割り当てと、リソースの確保を実行する（図４のｂ６）。
【００５４】
ハンドオーバ先ノードＢ２−１は、所要リソースの確保が完了し、ハンドオーバの準備が完了したら、ＲＲＭサーバ４に対してリソース割り当ての応答を行う（図４のｂ７）。ＲＲＭサーバ４はリソース割り当ての応答を受けると、ハンドオーバ元ノードＢ２−０に対してＵＥ情報転送への応答を行う（図４のｂ８）。
【００５５】
ハンドオーバ元ノードＢ２−１は、ＵＥ情報転送応答を受けると、ハンドオーバ先ノードＢ２−１との間にｕ−ｐｌａｎｅパスを張り、ハンドオーバ先ノードＢ２−１に対してユーザデータパケットの転送を開始する（図４のｂ９，ｂ１０）。ここで、無瞬断のハンドオーバ実現のために転送が有効となるパケットは、上記の（１）〜（３）のパケットである。
【００５６】
ハンドオーバ元ノードＢ２−０による（１）〜（３）のパケット転送が終わると、ハンドオーバ先ノードＢ２−１はＵＥ１−０に対してハンドオーバ先ノードＢ２−１への移行指示と、移行に必要なハンドオーバ先ノードＢ情報をノードＢ切替え指示［ＲＢ  Ｒｅｃｏｎｆｉｇｕｒａｔｉｏｎ］信号として送信する（図４のｂ１１）。
【００５７】
ＵＥ１−０は、上記のハンドオーバ先ノードＢ２−１の信号を受け、ハンドオーバ先ノードＢ２−１との通信を開始し、上り下り回線の同期を確立する（図４のｂ１２）。ハンドオーバ先ノードＢ２−１は、上り同期が確立した段階で、ＲＲＭサーバ４を介してゲートウェイ３に、ｕ−ｐｌａｎｅパスをハンドオーバ元ノードＢ２−０から切替えためにＰａｔｈ  Ｓｗｉｔｃｈ  Ｒｅｑｕｅｓｔ信号を出す（図４のｂ１３，ｂ１４）。
【００５８】
ゲートウェイ３は、Ｐａｔｈ  Ｓｗｉｔｃｈ  Ｒｅｑｕｅｓｔ信号を受けると、ｕ−ｐｌａｎｅパスをハンドオーバ先ノードＢ２−１に切替えるとともに、ＲＲＭサーバ４を介してハンドオーバ先ノードＢ２−１にＰａｔｈ  Ｓｗｉｔｃｈ  Ｃｏｎｆｉｒｍ信号を返す（図４のｂ１５，ｂ１６）。
【００５９】
ＵＥ１−０は、下り同期が確立した段階で、ハンドオーバ先ノードＢ２−１を介してＲＲＭサーバ４に、ハンドオーバの完了をＲＢ  Ｒｅｃｏｎｆｉｇｕｒａｔｉｏｎ  Ｃｏｍｐｌｅｔｅ信号として通知する（図４のｂ１７，ｂ１８）。ＲＲＭサーバ４は、これらＰａｔｈ  Ｓｗｉｔｃｈ  Ｃｏｎｆｉｒｍ信号と、ＲＢ  Ｒｅｃｏｎｆｉｇｕｒａｔｉｏｎ  Ｃｏｍｐｌｅｔｅ信号との受信をもって、ハンドオーバ元ノードＢ２−０にＰａｔｈ  Ｒｅｌｅａｓｅ信号を送信する（図４のｂ１９）。
【００６０】
ハンドオーバ元ノードＢ２−０では、このＰａｔｈ  Ｒｅｌｅａｓｅ信号を受けて、上りＵｕ回線のリソースと、ゲートウェイ３へのｕ−ｐｌａｎｅパスとを解放し、ハンドオーバ先ノードＢ２−１に対してリソースとｕ−ｐｌａｎｅパスとの解放をＰａｔｈ  Ｒｅｌｅａｓｅ  Ａｃｋ信号としてＲＲＭサーバ４に返す（図４のｂ２０）。これによって、本実施例では、一連のハンドオーバシーケンスが完了する。
【００６１】
このように、本実施例では、上述した本発明の第１の実施例と同様に、ＵＥ１−０主導でハンドオーバ実行の判定を行う場合に、ノードＢにおいて送受信時にデータの欠落や冗長を減少させ、円滑なハンドオーバを実現することができる。
【実施例３】
【００６２】
図５は本発明の第３の実施例による無線ネットワークシステムの動作を示すシーケンスチャートである。本発明の第３の実施例による無線ネットワークシステムは上記の図１に示す本発明の第１の実施例による無線ネットワークシステムと同様の構成となっている。これら図１及び図５を参照して本発明の第３の実施例による無線ネットワークシステムの動作について説明する。以下、ＵＥ１−０がハンドオーバ要求を挙げるノードＢがハンドオーバ元ノードＢ２−０であり、ＵＥ１−０のハンドオーバ要求を直接ハンドオーバ先ノードＢ２−１に送信する場合について説明する。
【００６３】
ＵＥ１−０はハンドオーバ元ノードＢ２−０及びハンドオーバ先ノードＢ２−１の信号を受信し、それらの受信ＳＩＲを比較してハンドオーバ動作への移行判定を行う（図５のｃ０，ｃ１）。ＵＥ１−０におけるハンドオーバ判定動作については、上記の通りである。
【００６４】
ＵＥ１−０はハンドオーバ先ノードＢ２−１にハンドオーバすると判定した場合、ハンドオーバ先ノードＢ２−１に対して、ハンドオーバ先ノードＢ２−１を指定した上でハンドオーバ要求を送出する（図５のｃ２）。ＵＥ１−０からハンドオーバ要求を受けたハンドオーバ先ノードＢ２−１は、ハンドオーバ元ノードＢ２−０に対してハンドオーバ先ノードＢ２−１にてＵＥ１−０との通信に必要となるリソースを確保するために、ＵＥ１−０が使用しているベアラ情報、所要品質（ＱｏＳ）情報、所要メモリ情報等のＵＥ情報の転送要求を送信する（図５のｃ３）。ハンドオーバ元ノードＢ２−０は、この転送要求を受けると、ハンドオーバ先ノードＢ２−１に、ＵＥ１−０が使用しているベアラ情報、所要品質（ＱｏＳ）情報、所要メモリ情報等のＵＥ情報を転送する（図５のｃ４）。
【００６５】
ハンドオーバ先ノードＢ２−１は、上記のハンドオーバ元ノードＢ２−０からの情報を受けると、その情報を基にノードＢ内のリソース割り当てと、リソースの確保を実行する（図５のｃ５）。ハンドオーバ先ノードＢ２−１は、所要リソースの確保が完了し、ハンドオーバの準備が完了したら、ハンドオーバ元ノードＢ２−０に対してＵＥ情報転送への応答を行う（図５のｃ６）。
【００６６】
ハンドオーバ元ノードＢ２−１は、ＵＥ情報転送応答を受けると、ハンドオーバ先ノードＢ２−１との間にｕ−ｐｌａｎｅパスを張り、ハンドオーバ先ノードＢ２−１に対してユーザデータパケットの転送を開始する（図５のｃ７，ｃ８）。ここで、無瞬断のハンドオーバ実現のために転送が有効となるパケットは、上記の（１）〜（３）のパケットである。
【００６７】
ハンドオーバ先ノードＢ２−１はハンドオーバ元ノードＢ２−０からの（１）〜（３）のパケット転送が終わると、ＵＥ１−０に対してハンドオーバ先ノードＢ２−１への移行指示と、移行に必要なハンドオーバ先ノードＢ情報をノードＢ切替え指示［Ｒａｄｉｏ  ｌｉｎｋ  Ｂｅａｒｅｒ（ＲＢ）  Ｒｅｃｏｎｆｉｇｕｒａｔｉｏｎ］信号として送信する（図５のｃ９）。
【００６８】
ＵＥ１−０は、上記のハンドオーバ先ノードＢ２−１の信号を受け、ハンドオーバ先ノードＢ２−１との通信を開始し、上り下り回線の同期を確立する（図５のｃ１０）。ハンドオーバ先ノードＢ２−１は、上り同期が確立した段階で、ゲートウェイ３に対して、ｕ−ｐｌａｎｅパスをハンドオーバ元ノードＢ２−０から切替えためにＰａｔｈ  Ｓｗｉｔｃｈ  Ｒｅｑｕｅｓｔ信号を出す（図５のｃ１１）。
【００６９】
ゲートウェイ３は、Ｐａｔｈ  Ｓｗｉｔｃｈ  Ｒｅｑｕｅｓｔ信号を受けると、ｕ−ｐｌａｎｅパスをハンドオーバ先ノードＢ２−１に切替えるとともに、ハンドオーバ先ノードＢ２−１に対してＰａｔｈ  Ｓｗｉｔｃｈ  Ｃｏｎｆｉｒｍ信号を返す（図５のｃ１２）。
【００７０】
ＵＥ１−０は、下り同期が確立した段階で、ハンドオーバ先ノードＢ２−１に対してハンドオーバの完了をＲＢ  Ｒｅｃｏｎｆｉｇｕｒａｔｉｏｎ  Ｃｏｍｐｌｅｔｅ信号としてハンドオーバ先ノードＢ２−１に通知する（図５のｃ１３）。ハンドオーバ先ノードＢ２−１は、これらＰａｔｈ  Ｓｗｉｔｃｈ  Ｃｏｎｆｉｒｍ信号と、ＲＢ  Ｒｅｃｏｎｆｉｇｕｒａｔｉｏｎ  Ｃｏｍｐｌｅｔｅ信号との受信をもって、Ｐａｔｈ  Ｒｅｌｅａｓｅ信号をハンドオーバ元ノードＢ２−０に送信する（図５のｃ１４）。
【００７１】
ハンドオーバ元ノードＢ２−０では、このＰａｔｈ  Ｒｅｌｅａｓｅ信号を受けて、上りＵｕ回線のリソースと、ゲートウェイ３へのｕ−ｐｌａｎｅパスとを解放し、ハンドオーバ先ノードＢ２−１に対してリソースとｕ−ｐｌａｎｅパスとの解放をＰａｔｈ  Ｒｅｌｅａｓｅ  Ａｃｋ信号として返す（図５のｃ１５）。これによって、本実施例では、一連のハンドオーバシーケンスが完了する。
【００７２】
ＵＥ１−０が報知情報等から予めハンドオーバ先ノードＢ２−１との通信に必要なパラメータを保持している場合には、ハンドオーバ要求を直接ハンドオーバ先ノードＢ２−１に対して送ることが可能となる。この場合、上述したように、ＲＢ  Ｒｅｃｏｎｆｉｇｕｒａｔｉｏｎに至るまで、ハンドオーバの制御はハンドオーバ先ノードＢ２−１が実施する。
【００７３】
このように、本実施例では、ＵＥ１−０主導でハンドオーバ実行の判定を行う場合に、ノードＢにおいて送受信時にデータの欠落や冗長を減少させ、円滑なハンドオーバを実現することができる。
【実施例４】
【００７４】
図６は本発明の第４の実施例による無線ネットワークシステムの動作を示すシーケンスチャートである。本発明の第４の実施例による無線ネットワークシステムは上記の図１に示す本発明の第１の実施例による無線ネットワークシステムと同様の構成となっている。これら図１及び図６を参照して本発明の第４の実施例による無線ネットワークシステムの動作について説明する。以下、ＵＥ１−０がハンドオーバ要求を挙げるノードＢがハンドオーバ元ノードＢ２−０であり、ＵＥ１−０のハンドオーバ要求を直接ハンドオーバ先ノードＢ２−１に送信する場合について説明する。
【００７５】
上述した本発明の第１〜第３の実施例では、ノードＢ間の転送について、「ＵＥからＡｃｋを受ける前のＤＬ（ＤｏｗｎＬｏａｄ）送信データ」、「ＵＥに未送信のＤＬ送信データ」、及び「ＵＥに対してＡｃｋを送っていないＵＬ（ＵｐＬｏａｄ）データ」を転送対象とする例を示している。
【００７６】
データ転送に際しては、転送設定に要する処理時間、並びにデータ量・転送速度に応じた転送時間が必要となるが、この処理時間・転送時間においてもハンドオーバ元側ノードＢ２−０がＵＥ１−０との通信を継続することができれば、通信断の期間を短縮することができ、より円滑なハンドオーバを実現することができる。
【００７７】
一方、これはすでに転送を開始したデータが、転送完了までの間に転送の必要がない冗長データに転じる可能性があることを示している。この冗長性を減じて処理負荷を軽減し、処理効率を改善するために、冗長な転送データを廃棄する仕組みを持ってもよい。本実施例ではこの仕組みを示している。
【００７８】
ＵＥ１−０はハンドオーバ元ノードＢ２−０及びハンドオーバ先ノードＢ２−１の信号を受信し、それらの受信ＳＩＲを比較してハンドオーバ動作への移行判定を行う（図６のｄ０，ｄ１）。ＵＥ１−０におけるハンドオーバ判定動作については、上記の通りである。
【００７９】
ＵＥ１−０はハンドオーバ先ノードＢ２−１にハンドオーバすると判定した場合、ハンドオーバ元ノードＢ２−０に対して、ハンドオーバ先ノードＢ２−１を指定した上でハンドオーバ要求を送出する（図６のｄ２）。ＵＥ１−０からハンドオーバ要求を受けたハンドオーバ元ノードＢ２−０は、ＵＥ１−０が指定したハンドオーバ先ノードＢ２−１に対してハンドオーバ要求を送信する（図６のｄ３）。その際、ハンドオーバ元ノードＢ２−０は、ハンドオーバ先ノードＢ２−１にてＵＥ１−０との通信に必要となるリソースを確保するために、ＵＥ１−０が使用しているベアラ情報、所要品質（ＱｏＳ）情報、所要メモリ情報等のＵＥ情報を同時に転送する。
【００８０】
ハンドオーバ先ノードＢ２−１は、上記のハンドオーバ元ノードＢ２−０からの信号を受けると、その情報を基にノードＢ内のリソース割り当てと、リソースの確保を実行する（図６のｄ４）。ハンドオーバ先ノードＢ２−１は、所要リソースの確保が完了し、ハンドオーバの準備が完了したら、ハンドオーバ元ノードＢ２−０に対してＵＥ情報転送への応答を行う（図６のｄ５）。
【００８１】
ハンドオーバ元ノードＢ２−１は、ＵＥ情報転送応答を受けると、ハンドオーバ先ノードＢ２−１との間にｕ−ｐｌａｎｅパスを張り、ハンドオーバ先ノードＢ２−１に対してユーザデータパケットの転送を開始する（図６のｄ６，ｄ７）。ここで、無瞬断のハンドオーバ実現のために転送が有効となるパケットは、上記の（１）〜（３）のパケットである。
【００８２】
ハンドオーバ元ノードＢ２−０にて（１）〜（３）のパケット転送を終えると、ハンドオーバ元ノードＢ２−０はハンドオーバ先ノードＢ２−１に処理済みフレーム番号を送信するとともに（図６のｄ８）、ＵＥ１−０に対してハンドオーバ先ノードＢ２−１への移行指示と、移行に必要なハンドオーバ先ノードＢ情報をノードＢ切替え指示［Ｒａｄｉｏ  ｌｉｎｋ  Ｂｅａｒｅｒ（ＲＢ）  Ｒｅｃｏｎｆｉｇｕｒａｔｉｏｎ］信号として送信する（図６のｄ９）。ハンドオーバ先ノードＢ２−１はハンドオーバ元ノードＢ２−０からの処理済みフレーム番号に基づいて処理済みデータを廃棄する（図６のｄ１０）。
【００８３】
ＵＥ１−０は、上記のハンドオーバ元ノードＢ２−０の信号を受け、ハンドオーバ先ノードＢ２−１との通信を開始し、上り下り回線の同期を確立する（図６のｄ１１）。ハンドオーバ先ノードＢ２−１は、上り同期が確立した段階で、ゲートウェイ３に対して、ｕ−ｐｌａｎｅパスをハンドオーバ元ノードＢ２−０から切替えためにＰａｔｈ  Ｓｗｉｔｃｈ  Ｒｅｑｕｅｓｔ信号を出す（図６のｄ１２）。
【００８４】
ゲートウェイ３は、Ｐａｔｈ  Ｓｗｉｔｃｈ  Ｒｅｑｕｅｓｔ信号を受けると、ｕ−ｐｌａｎｅパスをハンドオーバ先ノードＢ２−１に切替えるとともに、ハンドオーバ先ノードＢ２−１に対してＰａｔｈ  Ｓｗｉｔｃｈ  Ｃｏｎｆｉｒｍ信号を返す（図６のｄ１３）。
【００８５】
ＵＥ１−０は、下り同期が確立した段階で、ハンドオーバ先ノードＢ２−１に対してハンドオーバの完了をＲＢ  Ｒｅｃｏｎｆｉｇｕｒａｔｉｏｎ  Ｃｏｍｐｌｅｔｅ信号としてハンドオーバ先ノードＢ２−１に通知する（図６のｄ１４）。ハンドオーバ先ノードＢ２−１は、これらＰａｔｈ  Ｓｗｉｔｃｈ  Ｃｏｎｆｉｒｍ信号と、ＲＢ  Ｒｅｃｏｎｆｉｇｕｒａｔｉｏｎ  Ｃｏｍｐｌｅｔｅ信号との受信をもって、Ｐａｔｈ  Ｒｅｌｅａｓｅ信号をハンドオーバ元ノードＢ２−０に送信する（図６のｄ１５）。
【００８６】
ハンドオーバ元ノードＢ２−０では、このＰａｔｈ  Ｒｅｌｅａｓｅ信号を受けて、上りＵｕ回線のリソースと、ゲートウェイ３へのｕ−ｐｌａｎｅパスとを解放し、ハンドオーバ先ノードＢ２−１に対してリソースとｕ−ｐｌａｎｅパスとの解放をＰａｔｈ  Ｒｅｌｅａｓｅ  Ａｃｋ信号として返す（図６のｄ１６）。これによって、本実施例では、一連のハンドオーバシーケンスが完了する。
【００８７】
本実施例では、上記のように、ハンドオーバ元ノードＢ２−０にて、転送処理が完了した時点で、転送済みデータの中で、「ＵＥに対して最後にＡｃｋを返した受信フレーム番号ＮRL」と、「ＵＥに対して最後に送信した送信フレーム番号ＮTL」をハンドオーバ先ノードＢ２−１に送信することによって、ハンドオーバ先ノードＢ２−１にて処理済みデータを廃棄することができる。
【００８８】
図７及び図８は本発明の第４の実施例によるハンドオーバ先ノードＢ２−１でのデータ廃棄処理を示すフローチャートである。これら図７及び図８を参照して本発明の第４の実施例によるハンドオーバ先ノードＢ２−１でのデータ廃棄処理について説明する。
【００８９】
ハンドオーバ先ノードＢ２−１はハンドオーバ元ノードＢ２−０から処理済みフレーム番号を受けると、ハンドオーバ元ノードＢ２−０から転送されたＵＬのｕ−ｐｌａｎｅデータフレーム番号ｎR をＵＥ１−０に対して最後にＡｃｋを返した受信フレーム番号ＮRLと比較し、ｕ−ｐｌａｎｅデータフレーム番号ｎR が受信フレーム番号ＮRLより小さいか（ｎR ≦ＮRL）を判定する（図７ステップＳ１）。
【００９０】
ハンドオーバ先ノードＢ２−１はｕ−ｐｌａｎｅデータフレーム番号ｎR が受信フレーム番号ＮRLより大きければ、ハンドオーバ元ノードＢ２−０からのＵＬ転送データをゲートウェイ３に送信し（図７ステップＳ２）、ｕ−ｐｌａｎｅデータフレーム番号ｎR が受信フレーム番号ＮRLより小さければ、ハンドオーバ元ノードＢ２−０からのＵＬ転送データを廃棄する（図７ステップＳ３）。
【００９１】
また、ハンドオーバ先ノードＢ２−１はハンドオーバ元ノードＢ２−０から処理済みフレーム番号を受けると、ハンドオーバ元ノードＢ２−０から転送されたＤＬのｕ−ｐｌａｎｅデータフレーム番号ｎT をＵＥ１−０に対して最後に送信した送信フレーム番号ＮTLと比較し、ｕ−ｐｌａｎｅデータフレーム番号ｎT が送信フレーム番号ＮTLより小さいか（ｎT ≦ＮTL）を判定する（図８ステップＳ１１）。
【００９２】
ハンドオーバ先ノードＢ２−１はｕ−ｐｌａｎｅデータフレーム番号ｎT が送信フレーム番号ＮTLより大きければ、ハンドオーバ元ノードＢ２−０からのＤＬ転送データをＵＥ１−０に送信し（図８ステップＳ１２）、ｕ−ｐｌａｎｅデータフレーム番号ｎT が送信フレーム番号ＮTLより小さければ、ハンドオーバ元ノードＢ２−０からのＤＬ転送データを廃棄する（図８ステップＳ１３）。
【００９３】
本実施例では、上記のように、ハンドオーバ先ノードＢ２−１において、ハンドオーバ元ノードＢ２−０から転送されたＵＬ／ＤＬ双方のｕ−ｐｌａｎｅデータフレーム番号（ｎR ，ｎT ）を受信フレーム番号ＮRL、送信フレーム番号ＮTLと比較することによって、既にハンドオーバ元ノードＢ２−０で処理済みのデータフレームを判別し、冗長なフレームについては、ＵＥ１−０またはゲートウェイ３に送信することなく廃棄しているので、ＵＥ１−０主導でハンドオーバ実行の判定を行う場合に、ノードＢにおいて送受信時にデータの欠落や冗長を減少させ、円滑なハンドオーバを実現することができる。
【図面の簡単な説明】
【００９４】
【図１】本発明の第１の実施例による無線ネットワークシステムの構成を示すブロック図である。
【図２】本発明の第１の実施例による無線ネットワークシステムの動作を示すシーケンスチャートである。
【図３】本発明の第２の実施例による無線ネットワークシステムの構成を示すブロック図である。
【図４】本発明の第２の実施例による無線ネットワークシステムの動作を示すシーケンスチャートである。
【図５】本発明の第３の実施例による無線ネットワークシステムの動作を示すシーケンスチャートである。
【図６】本発明の第４の実施例による無線ネットワークシステムの動作を示すシーケンスチャートである。
【図７】本発明の第４の実施例によるハンドオーバ先ノードＢ２−１でのデータ廃棄処理を示すフローチャートである。
【図８】本発明の第４の実施例によるハンドオーバ先ノードＢ２−１でのデータ廃棄処理を示すフローチャートである。
【図９】従来の無線ネットワークシステムの構成を示すブロック図である。
【符号の説明】
【００９５】
１−０，１−１  ＵＥ
２−０  ハンドオーバ元ノードＢ
２−１  ハンドオーバ先ノードＢ
３  ゲートウェイ
４  ＲＲＭサーバ
１００  ハンドオーバ元セル
１０１  ハンドオーバ先セル
【図１】
2008005074.tif 000003
【図２】
2008005074.tif 000004
【図３】
2008005074.tif 000005
【図４】
2008005074.tif 000006
【図５】
2008005074.tif 000007
【図６】
2008005074.tif 000008
【図７】
2008005074.tif 000009
【図８】
2008005074.tif 000010
【図９】
2008005074.tif 000011